(57)【要約】【課題】  録画予約状況を視覚的に容易に把握することができるデータ記録再生装置を提供する。【解決手段】  この情報記録再生装置１００におけるメニュー画面は、複数の矩形領域を複数行複数列に表示し、複数行にそれぞれ複数の日付を割り当て、朝、昼、夜、深夜のうちの選択された時間帯を等分割した複数の時間をそれぞれ複数列に割り当て、録画予約された番組に対応する矩形領域にチャンネル番号を表示し、録画予約されているか否か、録画済か否か、再生済みか否かに応じて矩形領域の色を変更する。したがって、ユーザは、録画予約・再生の状況を視覚的に容易に把握することができる。【選択図】        図２
2006014043.tif 000002
【特許請求の範囲】
【請求項１】
所望のチャンネルの番組データを受信する受信手段と、
録画および再生の動作に関連する情報を格納するための記憶手段と、
外部からの入力指示を受ける入力手段と、
日時を計測する計時手段と、
前記録画および前記再生の動作を制御する制御手段とを備えるデータ記録再生装置において、
前記記憶手段は、録画予約された番組を特定する番組予約情報と、録画された番組が再生済みか否かを示す再生情報と、複数の所定の時間帯にそれぞれ対応する複数のメニュー画面上において、複数の所定形状の領域を行列状に表示するための構成情報とを格納し、
前記制御手段は、
録画予約をするための録画予約モード時に、前記入力手段からの入力に応じて、前記番組予約情報を生成して前記記憶手段に格納する録画予約手段と、
前記入力手段からの入力に応じて、前記複数の所定の時間帯のうちのいずれか１つを選択する時間帯選択手段と、
録画予約の状況を見るための録画再生ナビゲーションモード時に、前記時間帯選択手段によって選択された所定の時間帯に対応するメニュー画面として、前記計時手段によって計測された日時に基づき、過去の所定の日から未来の所定の日までの複数の日付と所定の時間間隔毎の複数の時刻とに対応付けて、前記構成情報に従って前記複数の所定形状の領域を行列状に表示し、前記番組予約情報に含まれる録画日時に対応する所定形状の領域に該番組予約情報に含まれるチャンネル番号を表示するための画像信号を生成する表示画像生成手段と、
前記計時手段によって計測された日時が前記番組予約情報に含まれる録画開始日時となることに応じて、前記番組予約情報に含まれるチャンネル番号に従って前記受信手段によって受信される番組データの前記記憶手段への録画を指示する録画指示手段と、
前記入力手段からの入力に応じて、前記チャンネル番号が表示された所定形状の領域に対応する録画済の番組データの前記記憶手段からの再生を指示する再生指示手段と、
前記再生指示手段による再生の指示に基づき、前記再生情報を生成して前記記憶手段に格納する再生情報生成手段と、
前記記憶手段に格納された前記番組予約情報および前記再生情報に基づき、録画予約されているか否か、録画済みか否か、再生済みか否か、に応じて各所定形状の領域の色を変更する表示色変更手段とを含むことを特徴とする、データ記録再生装置。
【請求項２】
データ記録再生装置であって、
外部からの入力指示を受ける入力手段と、
日時を計測する計時手段と、
前記データ記録再生装置の動作に関連する情報を格納するための記憶手段とを備え、
前記記憶手段は、録画したい番組を特定する番組予約情報と、複数の所定の時間帯にそれぞれ対応する複数のメニュー画面上において、複数の所定形状の領域を行列状に表示するための構成情報とを格納し、
前記データ記録再生装置の動作を制御するための制御手段をさらに備え、
前記制御手段は、
録画予約をするための録画予約モード時に、前記入力手段からの入力に応じて、前記番組予約情報を生成して前記記憶手段に格納する録画予約手段と、
前記入力手段からの入力に応じて、前記複数の所定の時間帯のうちのいずれか１つを選択する時間帯選択手段と、
録画予約の状況を見るための録画再生ナビゲーションモード時に、前記時間帯選択手段によって選択された所定の時間帯に対応するメニュー画面として、前記計時手段によって計測された日時に基づき、複数の日付と所定の時間間隔毎の複数の時刻とに対応付けて、前記構成情報に従って前記複数の所定形状の領域を行列状に表示し、前記番組予約情報に含まれる録画日時に対応する所定形状の領域に前記番組予約情報に含まれるチャンネル番号を表示するための画像信号を生成する表示画像生成手段とを含む、データ記録再生装置。
【請求項３】
前記記憶手段は、前記複数の所定の時間帯を特定する時間帯情報をさらに格納し、
前記表示画像生成手段は、前記時間帯情報に基づいて前記所定の時間間隔毎の複数の時刻を算出する、請求項２に記載のデータ記録再生装置。
【請求項４】
前記番組予約情報は、各所定の時間帯に対応して形成されていて、
前記表示画像生成手段は、前記時間帯選択手段によって選択された所定の時間帯に対応する番組予約情報に含まれる録画日時に対応する所定形状の領域に該番組予約情報に含まれるチャンネル番号を表示する、請求項２に記載のデータ記録再生装置。
【請求項５】
前記複数の所定の時間帯は、１日を６時間毎に分けた朝、昼、夜、深夜の４つの時間帯に対応する、請求項２から請求項４までのいずれかに記載のデータ記録再生装置。
【請求項６】
前記複数の所定形状の領域に対応付ける前記複数の日付は、過去の所定の日付から未来の所定の日付までを含み、
前記表示画像生成手段は、前記計時手段により計測される日時に対応する曜日を行列状に表示される前記複数の所定形状の領域における中央の行および中央の列のうちのいずれか一方に対応付ける、請求項２から請求項５までのいずれかに記載のデータ記録再生装置。
【請求項７】
前記時間帯選択手段は、前記メニュー画面上に、前記複数の所定の時間帯にそれぞれ対応する複数の特定領域を表示させ、前記入力手段からの入力に応じて、選択された特定領域に対応する所定の時間帯を選択する、請求項２から請求項６までのいずれかに記載のデータ記録再生装置。
【請求項８】
前記入力手段からの入力に応じて、前記メニュー画面上でカーソルを移動させるカーソル移動手段をさらに備え、
前記時間帯選択手段は、前記メニュー画面上において、最終時刻に対応する所定形状の領域から前記複数の所定形状の領域以外の領域に前記カーソルが移動したことに応じて、前記メニュー画面に対応する所定の時間帯の次の所定の時間帯を選択する、請求項２から請求項７までのいずれかに記載のデータ記録再生装置。
【請求項９】
前記入力手段からの入力に応じて、前記メニュー画面上の前記複数の所定形状の領域のうちのいずれか１つを選択するための選択制御手段と、
前記入力手段からの入力に応じて、前記選択制御手段によって選択された所定形状の領域に対応する録画日時の番組予約情報の内容を変更する番組予約情報変更手段とをさらに備える、請求項２から請求項８までのいずれかに記載のデータ記録再生装置。
【請求項１０】
所望のチャンネルの番組データを受信するための受信手段をさらに備え、
前記制御手段は、
前記計時手段によって計測された日時が前記番組予約情報に含まれる録画開始日時となることに応じて、前記番組予約情報に含まれるチャンネル番号に従って前記受信手段によって受信される番組データの前記記憶手段への録画を指示する録画指示手段と、
前記入力手段からの入力に応じて、前記チャンネル番号が表示された所定形状の領域に対応する録画済の番組データの前記記憶手段からの再生を指示する再生指示手段とをさらに含む、請求項２から請求項９までのいずれかに記載のデータ記録再生装置。
【請求項１１】
前記記憶手段は、前記録画予約された番組の録画が再生済みか否かを示す再生情報をさらに記憶し、
前記制御手段は、
前記再生指示手段による再生の指示に基づき、前記再生情報を生成して前記記憶手段に格納する再生情報生成手段と、
前記記憶手段に格納された前記番組予約情報および前記再生情報に基づき、録画予約されているか否か、録画済みか否か、再生済みか否か、に応じて各所定形状の領域の色を変更する表示色変更手段とを含むことを特徴とする、請求項１０に記載のデータ記録再生装置。
【発明の詳細な説明】
【技術分野】
【０００１】
本発明は、テレビジョン放送の録画予約の機能を有する録画・再生を行なうためのデータ記録再生装置に関し、特に、録画予約の情報表示の構成に関する。
【背景技術】
【０００２】
従来、録画予約機能を有するデータ記録再生装置において、使用者が少なくとも録画開始時刻、録画終了時間（あるいは、録画時間）および録画するテレビジョン放送のチャンネルを指定することにより、録画予約を行なうことができる。録画予約された番組の日付、開始時刻、終了時刻、チャンネルは、テレビモニタの画面に録画の順に表示される（たとえば特許文献１参照）。
【０００３】
また、テレビ放送番組の選局、録画予約において、過去の録画状況と放送予定の番組ガイドを視覚的に表示することができる番組一覧表表示装置を適用した録画再生装置もある（たとえば、特許文献２参照）。この録画再生装置では、番組ガイド画面上に、個々の番組情報を表わす番組情報セルがチャンネル属性を横軸とし、日時属性を縦軸とした表上に配置されるが、表示される番組情報を制限するために表示フィルタ設定画面が設けられており、曜日指定で指示された放送曜日で、かつ、時刻指定で指示された放送時間帯の番組の番組情報を表わす番組情報セルのみを番組ガイド画面上に表示する。
【特許文献１】特開平７−２６０９６２号公報明細書
【特許文献２】特開２００１−３１３８７８号公報明細書
【発明の開示】
【発明が解決しようとする課題】
【０００４】
しかし、第１の従来例では、録画予約された番組の日付、開始時刻、終了時刻、チャンネルが録画順に羅列されるだけなので、録画予約の状況を把握し難いという問題があった。
【０００５】
また、第２の従来例では、多くの情報が一画面に表示されるので、表示画面が煩雑になり、操作が複雑であるという問題があった。
【０００６】
本発明は、上記課題を解決するためになされたものであって、その目的は、録画予約状況を視覚的に容易に把握することができるデータ記録再生装置を提供することである。
【課題を解決するための手段】
【０００７】
この発明に係るデータ記録再生装置は、所望のチャンネルの番組データを受信する受信手段と、録画および再生の動作に関連する情報を格納するための記憶手段と、外部からの入力指示を受ける入力手段と、日時を計測する計時手段と、録画および再生の動作を制御する制御手段とを備えたものである。ここで、記憶手段は、録画予約された番組を特定する番組予約情報と、録画予約された番組の録画が再生済みか否かを示す再生情報と、複数の所定の時間帯にそれぞれ対応する複数のメニュー画面上において、複数の所定形状の領域を行列状に表示するための構成情報とを格納する。制御手段は、録画予約をするための録画予約モード時に、入力手段からの入力に応じて、番組予約情報を生成して記憶手段に格納する録画予約手段と、入力手段からの入力に応じて、複数の所定の時間帯のうちのいずれか１つを選択する時間帯選択手段と、録画予約の状況を見るための録画再生ナビゲーションモード時に、時間帯選択手段によって選択された所定の時間帯に対応するメニュー画面として、計時手段によって計測された日時に基づき、過去の所定の日から未来の所定の日までの複数の日付と所定の時間間隔毎の複数の時刻とに対応付けて、構成情報に従って複数の所定形状の領域を行列状に表示し、番組予約情報に含まれる録画日時に対応する所定形状の領域に該番組予約情報に含まれるチャンネル番号を表示するための画像信号を生成する表示画像生成手段と、計時手段によって計測された日時が番組予約情報に含まれる録画開始日時となることに応じて、番組予約情報に含まれるチャンネル番号に従って受信手段によって受信される番組データの記憶手段への録画を指示する録画指示手段と、入力手段からの入力に応じて、チャンネル番号が表示された所定形状の領域に対応する録画済の番組データの記憶手段からの再生を指示する再生指示手段と、再生指示手段による再生の指示に基づき、再生情報を生成して記憶手段に格納する再生情報生成手段と、記憶手段に格納された番組予約情報および再生情報に基づき、録画予約されているか否か、録画済みか否か、再生済みか否か、に応じて各所定形状の領域の色を変更する表示色変更手段とを含む。
【発明の効果】
【０００８】
この発明に係るデータ記録再生装置では、選択された所定の時間帯に対応するメニュー画面として、複数の日付と所定の時間間隔毎の複数の時刻とに対応付けて、複数の所定形状の領域を行列状に表示し、番組予約情報に含まれる録画日時に対応する所定形状の領域に番組予約情報に含まれるチャンネル番号を表示し、録画予約されているか否か、録画済みか否か、再生済みか否か、に応じて所定形状の領域の色を変更する。したがって、ユーザは録画予約状況を視覚的に容易に把握することができる。
【発明を実施するための最良の形態】
【０００９】
以下、図面を参照しつつ本発明の実施の形態について詳細に説明する。以下の説明では、同一の構成部分には同一の符号を付してあり、それらの名称および機能も同じである。したがって、それらについて詳細な説明は繰り返さない。
【００１０】
［実施の形態１］
図１は、本発明のデータ記録再生装置の一例である情報記録再生装置１００の構成を示すための機能ブロック図である。
【００１１】
図１を参照して、情報記録再生装置１００は、ユーザからの指示入力を受けるための操作部２と、テレビジョン放送に含まれるアナログテレビジョン信号（以下、ＴＶ信号とする。）を受信するためのチューナ６と、チューナ６から供給されるＴＶ信号を動画像デジタルデータ（以下、動画像データとする。）にエンコードするためのＭＰＥＧ（Moving Pictuer Expert Group）エンコーダ８と、動画像データを格納するためのハードディスク装置１０と、動画像データをＴＶ信号にデコードするためのＭＰＥＧデコーダ１２と、外部機器と接続するための出力端子１４と、情報記録再生装置１００の動作を制御するための制御部１６と、不揮発的にデータの書き込みと読み出しとを行なうためのメモリ４とを備える。また、ＴＶ信号は、少なくとも映像信号を含む。そして、チューナ６において受信される信号がデジタル信号である場合、ＭＰＥＧエンコーダ８によるエンコード処理を省略してもよい。
【００１２】
制御部１６は、時刻を計測するためのタイマ２６を有するシステム制御回路１８と、メニュー画面を生成するためのＯＳＤ（On Screen Display）画像生成回路２０を含む。なお、メモリ４は、システム制御回路１８の内部に含まれていてもよい。また、タイマ２６により計測される時刻は、情報記録再生装置１００の筐体に備わる表示装置（図示せず）により表示されてもよいし、あるいは、出力端子１４を介して、ＯＳＤ画像生成回路２０により生成される時刻の表示画像を外部の機器に出力してもよい。
【００１３】
また、ハードディスク装置１０は、動画像データを構成している時間軸に沿って再生される複数のフレームにそれぞれ対応し、動画像データに含まれる複数の符号化フレームデータを、アドレスと相互に関連付けて格納するためのハードディスク２２と、ハードディスク２２からデータの書き込みおよび読み出しを行なうための記録・再生ヘッド２４とを含む。
【００１４】
ただし、本発明の実施の形態における情報記録再生装置１００は、ハードディスク装置１０に動画像データを格納することに特に限定されない。すなわち、脱着可能な記録媒体に格納することとしてもよい。脱着可能な記録媒体とは、たとえば、ＤＶＤ（Digital Versatile Disc）である。あるいは、脱着可能な記録媒体は、たとえば、ＳＤカード等の不揮発性のメモリーカードでもよい。
【００１５】
次に、本発明の実施の形態における情報記録再生装置１００の動作についての説明を行なう。
【００１６】
ユーザが操作部２を用いて各種操作を行なうことにより、システム制御回路１８は、各種操作に基づいて、情報記録再生装置１００を動作させることができる。
【００１７】
「各種操作」とは、たとえば、チャンネル（以下、ＣＨとする。）指定操作、録画予約操作、録画済み番組指定操作、録画指令操作、再生指令操作、録画停止操作、再生停止操作、録画済み番組消去操作等である。
【００１８】
また、操作部２は、ユーザの操作に応じて、各種操作信号をシステム制御回路１８に供給する。なお、操作部２は、情報記録再生装置１００とは分離しているリモートコントローラ（図示せず）であってもよい。
【００１９】
ユーザにより操作部２にチャンネルの変更の指示が入力されるときに、システム制御回路１８からアナログテレビジョン放送（ＮＴＳＣ（National Television Standards Committee）方式、ＰＡＬ（Phase Alternation by Line）方式、またはＳＥＣＡＭ（SEquential Couleur A Memoire）方式）等のＣＨ指定信号がチューナ６に供給される。チューナ６は、指定されたＣＨに対応するアナログテレビジョン放送波を受信する。このとき、チューナ６は、受信したアナログテレビジョン放送波を復調して得たＴＶ信号をＭＰＥＧエンコーダ８に供給する。ＭＰＥＧエンコーダ８は、システム制御回路１８のエンコード制御信号に基づいて、ＴＶ信号に対してＭＰＥＧ符号化処理を施す。ＭＰＥＧ符号化処理が施されたＴＶ信号は、動画像データに変換される。そして、動画像データは、システム制御回路１８により、ハードディスク装置１０に書き込まれる。ハードディスク装置１０は、動画像データを書き込むとともに、システム制御回路１８の読み出し制御信号により、書き込まれた動画像データの読み出しも行なう。そして、ＭＰＥＧデコーダ１２は、システム制御回路１８のデコード制御信号に基づいて、読み出された動画像データに対して、ＭＰＥＧ復号処理を施す。ＭＰＥＧ復号処理が施された動画像データは、ＴＶ信号に変換される。変換されたＴＶ信号は、出力端子１４を介して外部機器に出力される。外部機器としては、特に限定されないが、たとえば、ディスプレイ装置２００である。
【００２０】
ＯＳＤ画像生成回路２０は、システム制御回路１８から供給された各種情報表示信号に応じた画像を表示させるための情報表示画像を生成する。そして、生成された情報表示画像は、映像信号として出力端子１４を介して外部に出力される。なお、情報表示画像とは、たとえば、ユーザが番組の録画予約の状況を見たり、録画した番組の再生の状況を見たり、予約データを変更・削除するためのメニュー画面を含む。
【００２１】
ディスプレイ装置２００は、出力端子１４から出力された映像信号に基づいてＯＳＤ画像生成回路２０により生成される情報表示画像の表示を行なう。
【００２２】
また、情報記録再生装置１００は、動作モードとして、ユーザが録画予約を行なうためのメニュー画面を映像信号としてディスプレイ装置２００に出力して表示させるための録画予約モードを有する。
【００２３】
ユーザの操作部２への操作による録画予約のメニュー画面の起動の操作信号に応じて、システム制御回路１８は、ＯＳＤ画像生成回路２０により録画予約を行なうためのメニュー画面を生成させる。このとき、番組の録画予約モードの種類としては、ＥＰＧ（電子番組ガイド）を用いるＥＰＧモード、Ｇコードを用いるＧコードモード、通常のマニュアルモードなどがある。ＥＰＧモードでは、有線または無線で配信されたテレビジョン番組の情報がメニュー画面として表示され、ユーザは録画したい番組をメニュー画面で選択する。Ｇコードモードでは、ユーザは録画したい番組のＧコードをメニュー画面の所定欄に入力する。マニュアルモードでは、ユーザ録画したい番組のＣＨ、日付、録画開始時間および録画終了時間をメニュー画面の所定欄に入力する。
【００２４】
また、情報記録再生装置１００は、動作モードとして、ユーザが録画予約・再生の状況の確認などを行なうためのメニュー画面を映像信号としてディスプレイ装置２００に出力して表示させるための録画再生ナビゲーション（以下、録再ナビと称す）モードを有する。
【００２５】
次に、本発明の実施の形態における情報記録再生装置１００が有する録再ナビモードにおいて、出力されるメニュー画面についての説明を行なう。
【００２６】
ユーザの操作部２への操作による録再ナビのメニュー画面の起動の操作信号に応じて、システム制御回路１８は、ＯＳＤ画像生成回路２０により録再ナビを行なうためのメニュー画面を生成させる。
【００２７】
このメニュー画面では、複数の所定形状の領域が複数行複数列に表示され、複数列にそれぞれ複数の日付が割り当てられ、選択された時間帯を等分割した複数の時間がそれぞれ複数行に割り当てられ、予約された日時の所定形状の領域にチャンネル番号が表示される。所定形状の領域は、録画済みでかつ未再生の番組、録画済みでかつ再生済みの番組、録画予定の番組、録画中の番組等の状態に応じて異なる色で表示される。ユーザは、このメニュー画面を見ることにより、録画予約・再生の状況を視覚的に容易に把握することができる。ユーザは、複数の時間帯のうちの所望の時間帯を選択することができる。また、ユーザは、複数の所定形状の領域のうちの１つを選択することにより、特定の日付、時間を選択できる。そして、ユーザの操作部２の操作により選択される所定形状の領域において、予約データの内容を変更・削除することができる。
【００２８】
また、システム制御回路１８は、複数の時間帯のそれぞれに対応するメニュー画面を起動させる。特に限定されるものではないが、たとえば、１日を６時間毎に分けて、午前６時から午後１２時までの時間帯を朝ナビとし、午後１２時から午後６時までの時間帯を昼ナビとし、午後６時から午前０時までの時間帯を夜ナビとし、午前０時から午前６時までの時間帯を深夜ナビとする。
【００２９】
システム制御回路１８は、ユーザによる操作部２への入力応じて上述した朝ナビ、昼ナビ、夜ナビ、深夜ナビにそれぞれ対応する時間帯のメニュー画面を表示させる。
【００３０】
以下、本発明の実施の形態における情報記録再生装置１００の録再ナビモードにおける朝ナビ、昼ナビ、夜ナビ、深夜ナビのそれぞれの時間帯に対応するメニュー画面の構成ついての説明を行なう。
【００３１】
図２は、録再ナビモードにおける朝ナビのメニュー画面を示す図である。
【００３２】
図２を参照して、ユーザによる録再ナビのメニュー画面の起動、あるいは、他の時間帯に対応するメニュー画面起動中に朝ナビのメニュー画面の起動の操作信号に応じて、システム制御回路１８は、録再ナビの朝ナビのメニュー画面を起動させる。
【００３３】
なお、録再ナビのメニュー画面を起動させるときに、システム制御回路１８は、ユーザからの操作信号に応じて、メモリ４に格納される初期表示時間帯情報に基づいて、複数の時間帯のうち予め設定された時間帯に対応するメニュー画面を表示させることができる。すなわち、システム制御回路１８は、たとえば、ユーザからの操作信号に応じて、朝ナビ、昼ナビ、夜ナビ、深夜ナビのうちのいずれか１つを初期表示時間帯として、録再ナビメニュー画面を起動させることができる。
【００３４】
また、メニュー画面を起動したときに、画面上には、先週および今週の日付と時間に対応付いた複数の矩形領域がＯＳＤ画像生成回路２０により行列状に表示される。そして、先週に録画予約した番組および今週に録画予約した番組の状態に応じた表示色で表示される。ただし、先週および今週の日付と時間を対応付ける領域は、矩形に特に限定されるものではない。たとえば、正方形でもひし形等の多角形でもよいし、円形、楕円形等の曲線の閉じた領域でもよいものとする。
【００３５】
また、日付と時間に対応付いた複数の矩形領域は、番組の予約状態に応じた表示色で表示される。「予約状態に応じた表示色」とは、たとえば、録画済みでかつ未再生の番組、録画済みでかつ再生済みの番組、録画予定の番組、録画中の番組等の状態に応じて変更された表示色である。たとえば、録画済みでかつ未再生の番組に対応する矩形領域は黄色に表示され、録画済みでかつ再生済みの番組に対応する矩形領域は水色に表示され、録画予定の番組に対応する矩形領域は緑色に表示され、録画中の番組に対応する矩形領域では黄色が点滅する。
【００３６】
そして、メニュー画面上には、複数の時間帯のうち、現在、どの時間帯が選択されているかを示す複数の特定領域がＯＳＤ画像生成回路２０により表示される。すなわち、複数の特定領域には、複数の時間帯のそれぞれが対応付けられている。ユーザによる操作信号により、複数の特定領域のうちの１つが選択されることに応じて、システム制御回路１８は、選択された特定領域に対応した時間帯のメニュー画面を表示させる。
【００３７】
システム制御回路１８は、特に限定されるものではないが、たとえば、図２のように、朝ナビ、昼ナビ、夜ナビ、深夜ナビの文字列をそれぞれ含む４つの枠の一部を重ねて表示し、４つの枠のうちのメニュー画面として表示される時間帯に対応する文字列の枠を一番前に表示する。あるいは、メニュー画面として表示される時間帯に対応する文字列の枠を
太枠にして表示する。あるいは、メニュー画面として表示される時間帯に対応する文字列の枠を点滅表示させてもよい。
【００３８】
そして、ユーザは、録再ナビのメニュー画面上に表示されるカーソルを操作部２、あるいは、リモートコントローラを操作することにより移動させることができる。システム制御回路１８は、カーソルを移動させる場合、たとえば、操作部２からの操作信号に応じて、カーソルの位置を表す変数を変更する。そして、ＯＳＤ画像生成回路２０は、操作信号に応じて、変更されるカーソルの位置に応じて、変更されたカーソルの位置を表わす変数に基づいて、カーソルを再表示させる。
【００３９】
そして、ユーザは、カーソルを移動させることにより、メニュー画面上に表示される複数の矩形領域のうちの１つを選択することができる。すなわち、ユーザは、特定の曜日、時間を選択して、録画予約の内容の変更・削除を行なうことができる。たとえば、ユーザがタイマ２６により計測される今日の時刻以降の録画予約した特定の矩形領域にカーソルを移動させてその矩形領域を選択すると、その矩形領域の近傍にウィンドウが開かれ、そのウィンドウ内に「変更」「削除」の文字が表示される。「変更」を選択して操作部２に新たなＣＨを入力することにより、録画したいＣＨを変更することができる。「削除」を選択すると、ＣＨのデータが削除され、その矩形領域の録画予約がキャンセルされる。
【００４０】
また、ユーザは、特定の曜日、時間を選択して、録画した番組の再生、リジューム再生、録画情報（タイトルなど）の変更、番組データの削除を行なうことができる。たとえば、ユーザがタイマ２６により計測される今日の時刻以前の録画済みの特定の矩形領域にカーソルを移動させてその矩形領域を選択すると、その矩形領域の近傍にウィンドウが開かれ、そのウィンドウ内に「再生」「リジューム再生」「変更」「削除」の文字が表示される。また、メニュー画面の下部に、選択した矩形領域に対応する録画ファイル情報と再生画面が表示される。なお、メニュー画面の下部には、矩形領域の選択の有無に関係なく、録再ナビの使用方法が表示される。
【００４１】
「再生」を選択すると、メニュー画面が消えて、録画した番組が先頭から再生される。「リジューム再生」を選択すると、メニュー画面が消えて、録画した番組が前回視聴を終了した時点から再生される。「変更」を選択して操作部２に新たな録画情報を入力することにより、録画情報を変更することができる。「削除」を選択すると、録画した番組のデータが削除される。
【００４２】
また、カーソルを録画済みの番組、あるいは、録画予約した番組に対応する矩形領域に合わせたとき、システム制御回路１８は、ＯＳＤ画像生成回路２０により対応する録画番組の情報等の詳細を画面上の所定の領域に表示させることもできる。
【００４３】
また、ユーザは、カーソルを一番下の行の矩形領域からその下の領域に移動させることにより、朝ナビのメニュー画面から昼ナビのメニュー画面に切換えることができる。
【００４４】
また、図３に示すように、ユーザによる所定の操作信号に応じて、先々週の日付と時間に対応付いた複数の矩形領域が表示される。各矩形領域には、先々週に録画予約した番組の状態（再生済み、未再生）に応じた色が表示される。
【００４５】
次に、図２および図３のメニュー画面をシステム制御回路１８が表示させる動作について説明する。
【００４６】
ＯＳＤ画像生成回路２０は、複数の矩形領域を行列状に表示して録再ナビのメニュー画面を生成する。このとき、システム制御回路１８は、行列状に表示される複数の矩形領域の各行に対して時間を対応付ける。また、システム制御回路１８は、各列に対して曜日を対応付ける。ただし、各行に対して時間を対応付けることに特に限定されない。たとえば、各列に対して曜日が対応付けられてもよい。各行に対して対応付けられる時間は、メニュー画面として表示される時間帯における所定の時間間隔毎の時間である。このとき、システム制御回路１８は、複数の時間帯のそれぞれを特定するための時間帯情報を参照する。時間帯情報とは、たとえば、それぞれの時間帯における開始時間と終了時間を含む時間帯テーブルである。すなわち、時間帯テーブルは、朝ナビ、昼ナビ、夜ナビ、深夜ナビのそれぞれの時間帯を特定する。たとえば、朝ナビの時間帯に対応するメニュー画面を表示させる場合においては、システム制御回路１８は、時間帯テーブルに基づいて、朝ナビの時間帯に対応する午前６時から午後１２時までの１時間毎の時間を各行に対して対応付ける。また、時間帯テーブルは、予め、メモリ４に格納されるが、特に限定されるものではない。たとえば、時間帯テーブルは、ハードディスク装置１０に格納されていてもよい。
【００４７】
一方、各列に対して対応付けられる曜日は、今日の日付を含む曜日である。すなわち、システム制御回路１８は、特に限定されるものではないが、たとえば、録再ナビのメニュー画面を起動するときに、今日の日付に対応する曜日を図２におけるメニュー画面の中央の列に対して対応付ける。そして、システム制御回路１８は、他の列に対して今日の日付を起点に前後１週間の曜日を対応付ける。
【００４８】
また、同様に、図３の先々週のメニュー画面の複数の矩形領域に対しても時間と曜日を対応付ける。このとき、図３の複数の矩形領域の各列に対しては、図２における複数の矩形領域の中央の列を起点に、曜日を対応付ける。
【００４９】
なお、他の時間帯に対応するメニュー画面の起動中に朝ナビのメニュー画面の起動入力指示の操作信号とは、特に限定されるものではないが、たとえば、操作部２、あるいは、リモートコントローラの時間帯の変更ボタンの押下により、朝ナビ、昼ナビ、夜ナビ、深夜ナビのうちのいずれかに切り替わってもよいし、ユーザによるメニュー画面上に表示されるカーソルの移動により、メニュー画面上の朝ナビ、昼ナビ、夜ナビ、深夜ナビのそれぞれに対応する特定の領域を選択することとしてもよい。
【００５０】
図４は、録再ナビモードにおける昼ナビのメニュー画面の要部を示す図である。
【００５１】
図４を参照して、ユーザによる録再ナビのメニュー画面の起動入力指示、あるいは、他の時間帯に対応するメニュー画面起動中に昼ナビのメニュー画面の起動入力指示の操作信号に応じて、システム制御回路１８は、昼ナビのメニュー画面を起動させる。このとき、図４の昼ナビのメニュー画面は、図２を用いて説明した朝ナビのメニュー画面と以下の点で異なる。すなわち、昼ナビの時間帯に対応するメニュー画面を表示させる場合においては、システム制御回路１８は、時間帯テーブルに基づいて、メニュー画面上に表示される複数の矩形領域の各行に対して午後１２時から午後６時までの１時間毎の時間を対応付ける。ユーザは、カーソルを一番下の行の矩形領域からその下の領域に移動させることにより、昼ナビのメニュー画面から夜ナビのメニュー画面に切換えることができる。
【００５２】
図５は、録再ナビモードにおける夜ナビのメニュー画面の要部を示す図である。
【００５３】
図５を参照して、ユーザによる録再ナビのメニュー画面の起動入力指示、あるいは、他の時間帯に対応するメニュー画面起動中に夜ナビのメニュー画面の起動入力指示の操作信号に応じて、システム制御回路１８は、夜ナビのメニュー画面を起動させる。このとき、図５の夜ナビのメニュー画面は、図２を用いて説明した朝ナビのメニュー画面と以下の点で異なる。すなわち、夜ナビの時間帯に対応するメニュー画面を表示させる場合においては、システム制御回路１８は、時間帯テーブルに基づいて、メニュー画面上に表示される複数の矩形領域の各行に対して午後６時から午前０時までの１時間毎の時間を対応付ける。ユーザは、カーソルを一番下の行の矩形領域からその下の領域に移動させることにより、夜ナビのメニュー画面から深夜ナビのメニュー画面に切換えることができる。
【００５４】
図６は、録再ナビモードにおける深夜ナビのメニュー画面の要部を示す図である。
【００５５】
図６を参照して、ユーザによる録再ナビのメニュー画面の起動入力指示、あるいは、他の時間帯に対応するメニュー画面起動中に深夜ナビのメニュー画面の起動入力指示の操作信号に応じて、システム制御回路１８は、深夜ナビのメニュー画面を起動させる。このとき、図６の深夜ナビのメニュー画面は、図２を用いて説明した朝ナビのメニュー画面と以下の点で異なる。すなわち、深夜ナビの時間帯に対応するメニュー画面を表示させる場合においては、システム制御回路１８は、時間帯テーブルに基づいて、メニュー画面上に表示される複数の矩形領域の各行に対して午前０時から午前６時までの１時間毎の時間を対応付ける。ユーザは、カーソルを一番下の行の矩形領域からその下の領域に移動させることにより、深夜ナビのメニュー画面から朝ナビのメニュー画面に切換えることができる。
【００５６】
朝ナビ、昼ナビ、夜ナビ、深夜ナビのそれぞれの時間帯に対応するそれぞれのメニュー画面上に表示される矩形領域に対応する行列に対して、曜日と時間とを対応付ける一例として、行列に対して時間帯と曜日と時間とを対応付けた管理テーブルを用いる方法を例にとって説明する。
【００５７】
図７は、１日を６時間毎の４つの時間帯を特定するための時間帯テーブルを示す図である。
【００５８】
図７を参照して、システム制御回路１８は、管理テーブルを生成するときに、予め、メモリ４あるいは、ハードディスク装置２０に格納される時間帯テーブルを参照する。時間帯テーブルには、それぞれの時間帯において、開始時間と終了時間が予め設定されている。
【００５９】
本発明の実施の形態１において、一例として、１日を６時間毎の４つの時間帯に分ける。そして、システム制御回路１８は、朝ナビ、昼ナビ、夜ナビ、深夜ナビのそれぞれに対応する時間帯に対応するメニュー画面において、メニュー画面上に行列状に表示される複数の矩形領域の各行に対して、時間帯テーブルの開始時間から終了時間までに所定の時間間隔毎の時間を対応づける。所定の時間間隔は、特に限定されるものではないが、たとえば、システム制御回路１８は、各行に対して、１時間間隔毎の時間を対応付ける。
【００６０】
図８は、録再ナビのメニュー画面上に表示される複数の矩形領域に対応する行列の管理テーブルを示す図である。
【００６１】
図８を参照して、システム制御回路１８は、図７で説明した時間帯テーブルに基づいて、録再ナビのメニュー画面上に表示される複数の矩形領域に対応する行列に、時間と曜日をそれぞれ対応付ける。このとき、システム制御回路１８は、少なくともタイマ２６により計測される日時が変更された以降で、録再ナビのメニュー画面が起動するまでに管理テーブルを生成、あるいは、更新を行なう。なお、管理テーブルは、特に限定されるものではないが、メモリ４に格納されていてもよいし、動画像データが格納されるハードディスク装置１０、あるいは、脱着可能な記録媒体に格納されていてもよい。
【００６２】
管理テーブルを生成するとき、まず、システム制御回路１８は、図７を用いて説明した時間帯テーブルに基づいて、複数の時間帯のそれぞれに対応する行列に対して、時間と曜日を対応づける。このとき、システム制御回路１８は、朝ナビ、昼ナビ、夜ナビ、深夜ナビのそれぞれの時間帯に対応するメニュー画面上の中央の列の矩形領域に対応する列に対して、タイマ２６により計測される今日の日付を対応づける。そして、システム制御回路１８は、中央の列を起点にして、それぞれ時間帯における他の列に対して日付を対応づける。そして、システム制御回路１８は、曜日情報に基づいて、日付に対応する曜日を管理テーブルに追加する。ここで、曜日情報は、メモリ４に格納されていてもよいし、ハードディスク装置１０に格納されていてもよい。なお、今日の日付として、一例として６月５日の木曜日を想定する。
【００６３】
そして、管理テーブルには、録画予約に関する予約データが登録されている録画テーブルに基づいて、対応する日付と時間帯に録画の予約があるか否かを示す予約フラグを含む。
【００６４】
また、行列状に表示される矩形領域には、図２で説明したように、今日の日付の前後１週間の録画済みでかつ未再生の番組、録画済みでかつ再生済みの番組、録画予定の番組、録画中の番組がチャンネル表示とともに色分けされて表示される。すなわち、ＯＳＤ画像生成回路２０は、管理テーブルに基づいて、予約された曜日、時間の番組に対応する矩形領域の表示色の変更を行なう。このとき、システム制御回路１８は、管理テーブルの予約フラグを参照する。また、システム制御回路１８は、録画予約の日時とタイマ２６により計測される日時とに基づいて、録画済みか否かを判断する。そして、ＯＳＤ画像生成回路２０は、参照結果および判断結果に基づいて、録画予約のある矩形領域の表示色を変更する。このとき、録画中の番組であれば、システム制御回路１８は、ＯＳＤ画像生成回路２０により録画中の矩形領域を点滅表示させる。
【００６５】
また、ＯＳＤ画像生成回路２０は、後述の録画テーブルに予約データが登録されることに応じて、録画予約された予約データに対応する矩形領域の表示色を変更してもよい。
【００６６】
そして、メニュー画面上において、ユーザによるカーソルを移動させて録画済みの番組に対応する矩形領域を選択して再生入力指示に基づいて、システム制御回路１８は、選択された矩形領域に対応する録画済みの番組の録画ファイルを再生させることができる。
【００６７】
図９は、録画予約モードにおいて生成される録画テーブルの一例を示す図である。
【００６８】
図９を参照して、録画テーブルには、録画予約モードにおいて、メニュー画面から予約された番組の録画情報等の予約データを含む。予約データには、その再生の有無を示す再生フラグと、ファイル名と、録画を行なう日付と、録画開始時間と、録画終了時間と、録画される番組に対応するＣＨと、番組を録画するときの録画画質を示す録画モードと、メニューに表示される矩形領域の表示区画数と、図示しないリジューム再生用データとを含む。なお、特に限定されるものではないが録画テーブルは、ハードディスク装置１０に格納されてもよいし、メモリ４に格納されてもよい。
【００６９】
ここで、再生フラグは、録画済みの番組が再生済みか未再生かを示す。システム制御回路１８は、複数の矩形領域のうちの録画済みの番組に対応する矩形領域が選択された後の再生入力指示の操作信号に応じて、未再生を示す再生フラグが０である場合、再生フラグを１に上書きする。
【００７０】
また、録画予約を行なうとき、ユーザにより入力された日付、時間、ＣＨにより、システム制御回路１８は、予約データを生成する。そして、システム制御回路１８は、生成した予約データを録画テーブルに登録する。このとき、システム制御回路１８は、日付と録画開始時間と録画終了時間とＣＨ以外の項目については、初期値とする。たとえば、表示区画数は、初期値を１とする。
【００７１】
また、登録された予約データは、メニュー画面において、ユーザにより、録画番組の詳細情報の変更を行なうことができる。このとき、変更された情報に基づいて、システム制御回路１８は、録画テーブルの対応する予約データを変更する。このとき、録画終了時間を変更する場合、システム制御回路１８は、録画開始時間と録画終了時間とに基づいて、表示区画数を変更する。たとえば、システム制御回路１８は、録画開始時間から録画終了時間までの時間が１時間を超え、２時間以下である場合、表示区画数を２に変更する。
【００７２】
図１０、図１１および図１２は、録再ナビのメニュー画面を表示させるときの動作のフローチャートの一例を示す。
【００７３】
まず、図１０を参照して、システム制御回路１８は、ユーザの操作部２への操作による、録再ナビのメニュー画面の起動の操作信号の有無の判断を行なう（ステップＳ１０１）。
【００７４】
ステップＳ１０１において、録再ナビのメニュー画面の起動の操作信号がない場合、システム制御回路１８は、録再ナビのメニュー画面の起動の操作信号の有無の判断を継続する。
【００７５】
一方、ステップＳ１０１において、簡単録画予約のメニュー画面の起動の操作信号がある場合、ステップＳ１０２においてシステム制御回路１８は、予めメモリ４に格納されたメニュー画面上に表示される複数の矩形領域の行列情報、描画開始位置情報、行間情報、列間情報、矩形情報、初期表示時間帯情報等のメニュー画面の構成情報の読み込みを行なう。
【００７６】
次に、ＯＳＤ画像生成回路２０は、行列情報、描画開始位置情報、行間情報、列間情報、矩形情報とに基づいて、メニュー画面上に複数の矩形領域を表示する（ステップＳ１０３）。
【００７７】
そして、システム制御回路１８は、タイマ２６により計測される今日の日付とハードディスク装置１０に格納される曜日情報とに基づいて、行列の中央の列に今日の日付を対応付けて、中央の列を起点に他の列に対応する曜日を算出する（ステップＳ１０４）。
【００７８】
つづいて、システム制御回路１８は、時間帯テーブルに基づいて、それぞれの時間帯において設定された時間から所定の時間間隔毎の各行に対応する時間を算出する（ステップＳ１０５）。
【００７９】
このとき、システム制御回路１８は、時間帯テーブルと曜日情報とに基づいて、メニュー画面上に表示される複数の矩形領域に対応する行列に時間と日付と曜日とをそれぞれ対応付けた管理テーブルを生成する（ステップＳ１０６）。
【００８０】
そして、図１１を参照して、ＯＳＤ画像生成回路２０は、管理テーブルを参照してメニュー画面上に行列状に表示される複数の矩形領域の各列に対応する曜日を表示する（ステップＳ１０７）。
【００８１】
つづいて、ＯＳＤ画像生成回路２０は、管理テーブルを参照して、初期表示時間帯情報に基づいて、表示される時間帯におけるメニュー画面上の行列状に表示される複数の矩形領域の各行に対応する時間を表示する（ステップＳ１０８）。
【００８２】
次に、ＯＳＤ画像生成回路２０は、メニュー画面に表示される所定の文字列を文字列情報に基づいて表示する（ステップＳ１０９）。
【００８３】
そして、ＯＳＤ画像生成回路２０は、カーソル初期表示位置情報に基づいて、カーソルを表示する（ステップＳ１１０）。
【００８４】
なお、文字列情報およびカーソル初期表示位置情報は、予めメモリ４に格納されていてもよいし、ハードディスク装置１０に格納されていてもよい。
【００８５】
ここで、システム制御回路１８は、録画テーブルに含まれる予約データの読み込みを行なう（ステップＳ１１１）。
【００８６】
ステップＳ１１２において、読み込んだ予約データの録画開始時間が表示されるメニュー画面に対応する時間帯内ではない場合、システム制御回路１８は、処理をステップＳ１２０に移行させる。
【００８７】
一方、ステップＳ１１２において、読み込んだ予約データの録画開始時間が表示されるメニュー画面に対応する時間帯内である場合、システム制御回路１８は、管理テーブルと読み込まれた簡単録画テーブルに含まれる予約データとを参照して、録画予約された番組の録画月日に対応する行を特定する（ステップＳ１１３）。
【００８８】
つづいて、システム制御回路１８は、録画番組の録画開始時間に対応する列を特定する（ステップＳ１１４）。
【００８９】
次に、図１２を参照して、システム制御回路１８は、予約データに含まれる表示区画数が１より大きいか否かの判断を行なう（ステップＳ１１５）。
【００９０】
ステップＳ１１５において、予約データに含まれる表示区画数が１より大きい場合、ＯＳＤ画像生成回路２０は、表示区画数に基づいて、列方向の矩形領域を削除する。すなわち、たとえば、予約データに含まれる表示区画数が２であれば、ＯＳＤ画像生成回路２０は、参照した予約データに対応する矩形領域の列方向の１つ下にある矩形領域を削除する（ステップＳ１１６）。
【００９１】
そして、ＯＳＤ画像生成回路２０は、予約データに含まれる表示区画数に基づいて、列方向の大きさを変更した矩形領域を表示する（ステップＳ１１７）。
【００９２】
すなわち、たとえば、予約データに含まれる表示区画数が２であれば、ＯＳＤ画像生成回路２０は、予約データに対応する矩形領域を、列方向に矩形領域２つ分を重複する大きさに拡張した矩形領域を表示する。
【００９３】
そして、ＯＳＤ画像生成回路２０は、予約データに含まれる録画を行なうＣＨに基づいて、予約データに対応する矩形領域の中央部にＣＨを表示する（ステップＳ１１８）。
【００９４】
一方、ステップＳ１１５において、予約データに含まれる表示区画数が１より小さい場合、システム制御回路１８は、処理をＳ１１８に移行させる。
【００９５】
つづいて、システム制御回路１８は、今日の日付と予約データに含まれる再生の有無の再生フラグとに基づいて、参照した予約データが再生済み、未再生、録画予定、録画中のうちのいずれの状態であるかを判別する。すなわち、システム制御回路１８は、参照した予約データが今日の日付以前に録画され、再生されていれば、再生済みの予約データと判断する。そして、システム制御回路１８は、参照した予約データが今日の日付以前に録画され、再生されていなければ、未再生の予約データと判断する。また、システム制御回路１８は、参照した予約データが今日の日付以降に録画予定のものであれば、録画予定の予約データと判断する。そして、参照した予約データが今日の日付で現在録画中であれば、録画中の予約データと判断する。
【００９６】
そして、ＯＳＤ画像生成回路２０は、再生済み、未再生、録画予約中、録画中のそれぞれの状態に応じて、予約データに対応する矩形領域の表示色を変更する（ステップＳ１１９）。
【００９７】
次に、システム制御回路１８は、録画テーブル中のすべての予約データをチェックしたかを判断する（ステップＳ１２０）。
【００９８】
ステップＳ１２０において、録画テーブル中のすべての録画データをチェックしていない場合、システム制御回路１８は、処理をステップＳ１１１に戻す。
【００９９】
一方、ステップＳ１２０において、録画テーブル中のすべての録画データをチェックした場合、システム制御回路１８は、処理を完了させる。
【０１００】
また、メニュー画面の起動中にユーザにより時間帯の選択の操作信号がある場合、システム制御回路１８は、操作信号に応じて、管理テーブルの選択された時間帯に対応する行列を参照する。そして、ＯＳＤ画像生成回路２０は、各行に対応する時間をメニュー画面上に表示する。そして、システム制御回路１８は、以後、図１１のフローチャートのステップＳ１１１から同様の動作を行なう。そのためその説明は繰り返さない。
【０１０１】
以上説明したとおり、本発明によれば、録再ナビモードとして複数の所定の時間帯のうちのいずれかを選択することにより、すなわち、たとえば、朝ナビ、昼ナビ、夜ナビ、深夜ナビと１日を６時間毎の時間帯に分けることにより、ユーザの好みの時間帯の録画予約・再生の状況を容易に把握することができる。
【０１０２】
また、録再ナビモードにおいて、複数の所定の時間帯に分けて、それぞれの時間帯に対応するメニュー画面を表示させることにより、ユーザは、スクロール等の操作をすることなく、すなわち、短時間で特定の時間帯における録画予約・再生の状況を把握することができる。
【０１０３】
あるいは、ユーザは、すでに録画済みの番組を検索する上でも、録画した時間帯を選択することにより、容易に所望の録画済みの番組を検索することができる。
【０１０４】
また、録再ナビモードとしてメニュー画面上に日付と時間が対応付けられた複数の矩形領域を表示することにより、ユーザによる特定の矩形領域の選択とチャンネルの入力に応じて、容易に予約データを変更することができる。
【０１０５】
［実施の形態２］
本発明の実施の形態２における情報記録再生装置の基本構成は、図１に示した実施の形態１における情報記録再生装置１００の基本構成と同じである。そのため構成の説明は繰り返さない。
【０１０６】
本発明の実施の形態２における情報記録再生装置１００において、システム制御回路１８が朝ナビ、昼ナビ、夜ナビ、深夜ナビのそれぞれの時間帯における録再ナビのメニュー画面を起動するときに参照する録画テーブルのデータ構造については、実施の形態１の録画テーブルと以下の点で異なる。
【０１０７】
すなわち、この実施の形態２では、複数の時間帯のそれぞれに対応する複数の録画テーブルが用いられる。たとえば、朝ナビ、昼ナビ、夜ナビ、深夜ナビのそれぞれの時間帯毎に対応する録画テーブルがメモリ４、あるいは、ハードディスク装置１０に格納される。
【０１０８】
それぞれの時間帯に対応する録画テーブルには、所定期間中の録画予定の予約データおよび録画済みの予約データを含む。録画テーブルは、特に限定されるものではないが、たとえば、タイマ２６により計測される今日の日時の前後１週間の予約データを含むものとする。
【０１０９】
以下、ユーザの操作信号に応じて、夜ナビに対応する時間帯のメニュー画面を起動させる動作を例にとって説明する。
【０１１０】
図１３は、本発明の実施の形態２における夜ナビに対応する時間帯の録画テーブルの一例を示す図である。
【０１１１】
図１３を参照して、夜ナビに対応する時間帯の録画テーブルには、夜ナビに対応する時間帯（午後６時から午後２３時５９分まで）の登録された予約データと、所定の時間間隔毎の時間および日付を対応づけたテーブルとを含む。
【０１１２】
また、録画予約が行なわれると、録画テーブル内の対応する月日と開始時間とに対応する個所に再生フラグ、ファイル名、ＣＨ、録画モード、表示区画数、図示しないリジューム再生用データが登録される。
【０１１３】
また、システム制御回路１８は、夜ナビに対応する時間帯のメニュー画面の起動の操作信号に応じて、録画テーブルのデータのヘッダに含まれる時間帯の情報に基づいて、夜ナビに対応する時間帯の録画テーブルを参照してもよい。あるいは、システム制御回路１８は、複数の録画テーブルをそれぞれ参照して、テーブルの先頭の時間帯フラグに基づいて、夜ナビの時間帯に対応する録画テーブルを参照してもよい。
【０１１４】
そして、システム制御回路１８は、ユーザにより選択される時間帯に応じた録画テーブルを参照する。たとえば、システム制御回路１８は、ユーザの操作信号により夜ナビが選択されるとき、図１３のような夜ナビの時間帯に対応する録画テーブルを参照する。そして、システム制御回路１８は、録画テーブルの月日と開始時間とに基づいて、メニュー画面を表示させるための管理テーブルを生成する。
【０１１５】
また、システム制御回路１８は、タイマ２６により計測される日付が変更されることに応じて、録画テーブルを更新する。すなわち、システム制御回路１８は、タイマ２６により計測される今日の日付より前後１週間において、登録された予約データと、選択された時間帯に対応する所定の時間間隔毎の時間および日付を対応づけたテーブルとを含む録画テーブルに更新する。
【０１１６】
図１４は、夜ナビに対応する時間帯のメニュー画面を表示させるための管理テーブルを示す図である。
【０１１７】
図１４を参照して、システム制御回路１８は、図１３を用いて説明した録画テーブルに含まれる月日と開始時間とを行列に対応付ける。このとき、システム制御回路１８は、たとえば、メニュー画面上に行列状に表示される複数の矩形領域の中央の列に対して、タイマ２６により計測される今日の日付を対応付ける。そして、システム制御回路１８は、中央の列に対応付けられた今日の日付を起点に前後１週間の日付と時間を対応づける。そして、システム制御回路１８は、メモリ４、あるいは、ハードディスク装置１０に格納される曜日情報に基づいて、日付に対応する曜日を管理テーブルに登録する。
【０１１８】
そして、ＯＳＤ画像生成回路２０は、生成された管理テーブルに基づいて、夜ナビに対応するメニュー画面を表示する信号を生成する。
【０１１９】
また、ユーザにより時間帯の変更の操作信号に応じて、システム制御回路１８は、対応する時間帯の録画テーブルを参照して、管理テーブルを生成する。そして、ＯＳＤ画像生成回路２０は、生成された管理テーブルに基づいて、選択された時間帯に対応するメニュー画面を表示する信号を生成する。
【０１２０】
図１５は、メニュー画面を表示させるときの動作の一部を示すフローチャートであって、図１０と対比される図である。
【０１２１】
図１５を参照して、ステップＳ１０１〜１０３は、実施の形態１において説明した図１０のフローチャートのステップＳ１０１〜Ｓ１０３と同じである。そのため、その説明は繰り返さない。
【０１２２】
ステップＳ１０４において、システム制御回路１８は、タイマ２６により計測される今日の日付に基づいて、朝ナビ、昼ナビ、夜ナビ、深夜ナビのうちの表示される時間帯に対応する録画テーブルを更新する。すなわち、システム制御回路１８は、タイマ２６により計測される今日の日付の前後の所定期間において、登録された予約データと、表示される時間帯に対応する所定の時間間隔毎の時間および日付を対応づけたテーブルとを含む録画テーブルに更新する。あるいは、このとき、システム制御回路１８は、複数の時間帯のそれぞれに対応する複数の録画テーブルを更新してもよい。
【０１２３】
そして、システム制御回路１８は、表示される時間帯に対応する録画テーブルを参照する（ステップＳ１０５）。
【０１２４】
次に、システム制御回路１８は、表示される時間帯に対応する録画テーブルと曜日情報とに基づいて、メニュー画面上に行列状に表示される複数の矩形領域に対応する行列と時間と日付と曜日とを対応付けた管理テーブルを生成する（ステップＳ１０６）。
【０１２５】
また、メニュー画面の起動中にユーザにより時間帯の選択の操作信号がある場合、システム制御回路１８は、操作信号に応じて、選択された時間帯に対応する録画テーブルを参照する。そして、システム制御回路１８は、参照した録画テーブルに基づいて、管理テーブルを更新する。ＯＳＤ画像生成回路２０は、更新した管理テーブルに基づいて、各行に対応する時間をメニュー画面上に表示する。他の動作は実施の形態１と同じであるので、その説明は繰り返さない。
【０１２６】
この実施の形態２でも、実施の形態１と同じ効果が得られる。
【０１２７】
なお、図１４を用いて説明した管理テーブルは、時間帯が選択される毎に生成されることに特に限定されるものではない。たとえば、管理テーブルは、それぞれの時間帯対応する管理テーブルが用意されてもよい。すなわち、タイマ２６により計測される日付が変更された後に、録画テーブルが更新されることに応じて、朝ナビ、昼ナビ、夜ナビ、深夜ナビのそれぞれの時間帯に対応する管理テーブルを生成してもよい。そして、ユーザによる時間帯の変更の操作信号に応じて、ＯＳＤ画像生成回路２０は、選択される時間帯に対応する管理テーブルに基づいて、メニュー画面を表示する信号を生成してもよい。
【０１２８】
[実施の形態３]
本発明の実施の形態３における情報記録再生装置の基本構成は、図１に示した実施の形態１における情報記録再生装置１００の基本構成と同じである。そのため構成の説明は繰り返さない。
【０１２９】
図１６は、実施の形態３において、録再ナビのメニュー画面を表示させるときの動作を示すフローチャートである。
【０１３０】
図１６を参照して、ステップＳ２０１において、システム制御回路１８は、たとえばリモコンの録再ナビのボタンが押されることを待機する。録再ナビのボタンが押された場合はステップＳ２０２において、現在、録再ナビのメニュー画面が表示されているか否かを判別する。録再ナビのメニュー画面が表示されている場合は、この動作は終了する。
【０１３１】
録再ナビのメニュー画面が表示されていない場合はステップＳ２０３において、録画予約データがあるか否かを判別する。録画予約データが無い場合はステップＳ２０７に進み、録画予約データがある場合はステップＳ２０４において録画予約データの内容をチェックする。ステップＳ２０５において録画予約データが録画予定日の８日以内かどうかを判別する。チェックした録画予約データが録画予定日の８日以内でない場合は、その録画予約データをメニュー画面に表示せずにステップＳ２０３に戻る。チェックした録画予約データが録画予定日の８日以内である場合は、ステップＳ２０６において録画予約データをメニュー画面の録画予約領域に表示する。
【０１３２】
次にステップＳ２０７において、録画済みデータがあるか否かを判別する。録画済みデータが無い場合は動作を終了し、録画済みデータがある場合はステップＳ２０８において録画済みデータの内容をチェックする。ステップＳ２０９において録画済みデータが録画してから１４日以内かどうかを判別する。チェックした録画済みデータが録画してから１４日以内でない場合は、その録画予約データをメニュー画面に表示せずにステップＳ２０７に戻る。チェックした録画済みデータが録画してから１４日以内である場合は、ステップＳ２１０において録画済みデータをメニュー画面の録画済み領域に表示する。
【０１３３】
この実施の形態３でも、実施の形態１と同じ効果が得られる。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３５】
【図１】本発明のデータ記録再生装置の一例である情報記録再生装置１００の構成を示すための機能ブロック図である。
【図２】録再ナビモードにおける朝ナビのメニュー画面を示す図である。
【図３】図２に示した朝ナビの先々週分のメニュー画面を示す図である。
【図４】録再ナビモードにおける昼ナビのメニュー画面を示す図である。
【図５】録再ナビモードにおける夜ナビのメニュー画面を示す図である。
【図６】録再ナビモードにおける深夜ナビのメニュー画面を示す図である。
【図７】１日を６時間毎の４つの時間帯を特定するための時間帯テーブルを示す図である。
【図８】メニュー画面上に表示される複数の矩形領域に対応する行列の管理テーブルを示す図である。
【図９】録再ナビモードにおいて生成される録画テーブルの一例を示す図である。
【図１０】録再ナビモードにおいてメニュー画面を表示する動作の一部を示すフローチャートである。
【図１１】図１０に示したフローチャートの他の部分である。
【図１２】図１０に示したフローチャートのさらに他の部分である。
【図１３】本発明の実施の形態２における夜ナビに対応する時間帯の録画テーブルの一例を示す図である。
【図１４】夜ナビに対応する時間帯のメニュー画面を表示させるための管理テーブルを示す図である。
【図１５】予約データをメニュー画面に表示する動作の一部を示すフローチャートである。
【図１６】本発明の実施の形態３において録再ナビのメニュー画面を表示する動作を示すフローチャートである。
【符号の説明】
【０１３６】
２  操作部、４  メモリ、６  チューナ、８  ＭＰＥＧエンコーダ、１０  ハードディスク装置、１２  ＭＰＥＧデコーダ、１４  出力端子、１６  制御部、１８  システム制御回路、２０  ＯＳＤ画像生成回路、２２  ハードディスク、２４  記録・再生ヘッド、２６  タイマ、１００  情報記録再生装置。
【図１】
2006014043.tif 000003
【図２】
2006014043.tif 000004
【図３】
2006014043.tif 000005
【図４】
2006014043.tif 000006
【図５】
2006014043.tif 000007
【図６】
2006014043.tif 000008
【図７】
2006014043.tif 000009
【図８】
2006014043.tif 000010
【図９】
2006014043.tif 000011
【図１０】
2006014043.tif 000012
【図１１】
2006014043.tif 000013
【図１２】
2006014043.tif 000014
【図１３】
2006014043.tif 000015
【図１４】
2006014043.tif 000016
【図１５】
2006014043.tif 000017
【図１６】
2006014043.tif 000018